(57)【要約】【課題】消火液の放出を任意に止めることができ、かつ消火液を容易に充填可能として繰り返し再利用可能な簡易消火器を提供する。【解決手段】本体容器２と、本体容器に収容されたアキュームレータ２５と、本体容器に接続された注入弁４１と、注入弁からアキュームレータを圧縮させながら本体容器に注入されて加圧された消火液Ｗと、本体容器に接続され加圧された消火液の圧力により閉弁され、開弁されたときに消火液を放出させる放出弁４２と、放出弁を開弁させるレバー４８と、放出用バルブの出口側に接続され消火液を放出するノズル４６を備えている。【選択図】図１
2011024822.tif 000002
【特許請求の範囲】
【請求項１】
本体容器と、
前記本体容器に収容されたアキュームレータと、
前記本体容器に接続された注入弁と、
前記注入弁から前記アキュームレータを圧縮させながら前記本体容器に注入されて加圧された消火液と、
前記本体容器に接続され、前記加圧された消火液の圧力により閉弁され、開弁されたときに前記消火液を放出させる放出弁と、
前記放出弁を開弁させるレバーと、
前記放出用バルブの出口側に接続され前記消火液を放出するノズルを備えたことを特徴とする簡易消火器。
【請求項２】
前記消火液は、水であることを特徴とする、請求項１に記載の簡易消火器。
【請求項３】
前記注入弁は、外部から前記本体容器への消火液の注入のみを許容する一方向弁であり、前記放出弁は、前記本体容器から消火液の放出のみを許容する一方向弁であることを特徴とする、請求項１又は請求項２に記載の簡易消火器。
【請求項４】
前記放出弁と前記ノズルとの間に前記消火液の圧力に応じて前記ノズルから放出する前記消火液の流量を調節する絞り弁が設けられていることを特徴とする、請求項１乃至請求項３の何れかに記載の簡易消火器。
【請求項５】
前記本体容器には前記消火液の圧力を表示する圧力計が接続されていることを特徴とする、請求項１乃至請求項４の何れかに記載の簡易消火器。
【請求項６】
前記注入弁と前記放出弁と前記絞り弁と前記ノズルと前記レバーと前記圧力計が一体に設けられてハンドスプレーガンとされ、ホースにより前記本体容器に接続されていることを特徴とする、請求項１乃至請求項５の何れかに記載の簡易消火器。
【発明の詳細な説明】
【技術分野】
【０００１】
本発明は、容易に再利用が可能な簡易消火器に関する。
【背景技術】
【０００２】
一般家庭の台所等に置いてある畜圧式消火器は、粉末又は液体の消火薬剤と共にこの消火薬剤を噴出させるための圧縮空気或いは圧縮窒素ガス等の加圧用ガスが充填された本体容器、本体容器の口部に取付けたバルブ、バルブに取り付けられて消火薬剤を放出するためのサイホン管、バルブに接続された消火器ホース、消火器ホースの先端に取付けられたノズル、バルブに取付けられてその開閉操作をするための固定レバー及び可動レバー、これらの固定レバーと可動レバーとの間に取付けられた安全栓等により構成されている（例えば、特許文献１参照）。
【０００３】
平常状態（不使用時）においては、弁棒の下端に設けられた弁体がコイルばねにより弁棒と共に引き上げられてバルブのサイホン管側の開口端（弁座）に圧接して当該開口端を閉塞しており、弁棒の上端が可動レバーの押圧部と対抗している。
消火器を使用する場合には、安全栓を引き抜き、一方の手でノズルを掴んで本体容器から外し、他方の手で固定レバーと可動レバーを握って本体容器を持ち上げ、ノズルを消火すべき対象物に向けながら固定レバーと可動レバーを握り締めて押圧部で弁棒を押し下げてバルブの開口端を開口させる。これに伴い加圧用ガスが消火薬剤をサイホン管、ホースを通してノズルから放出させて前記消火すべき対象物を消火する。
【先行技術文献】
【特許文献】
【０００４】
【特許文献１】特開２００３−１６４５３９号公報（３頁、図１）
【発明の概要】
【発明が解決しようとする課題】
【０００５】
上記構成の畜圧式消火器においては、概ね一度安全栓を抜いて使用状態にすると加圧用ガスと消火薬剤が完全に放出されてしまうまで止めることができず、失火の初期段階で僅かな量の消火薬剤で簡単に消火が済んでしまった場合であっても加圧用ガスと消火薬剤の放出を止めることができない。このため、必要以上に放出された消火薬剤による周辺部の汚れ等により後処理が大変な場合がある。また、取り扱いを誤って不用意に安全栓を抜いてしまい、使用状態にしてしまったような場合でも上述と同様に消火薬剤の放出を止めることができず、消火薬剤による後処理が大変な場合もあり得る。
【０００６】
また、一方の手でノズルを掴み、他方の手で固定レバーと可動レバーを握って本体容器を持ち上げ、ノズルを消火すべき対象物に向けながら可動レバーを握り締めてバルブを開弁させるためにノズルを消火対象物に正確に向けることが困難である。このため、消火対象物に消火薬剤を有効に放出することができない。
更に、消火器を使用した後当該消火器を再利用する場合には、専門業者に依頼してオーバーホールをして消火薬剤や加圧用ガスを充填することが必要であり、費用が嵩むばかりでなく時間も掛かる。このため、実質的には使い捨てが殆どであり、不経済である。また、消火対象物によっては消火薬剤として単なる水でも十分な場合もある。
【０００７】
本発明の目的は、消火液の放出を任意に止めることができ、かつ消火液を容易に充填可能として繰り返し再利用可能な簡易消火器を提供することにある。
【課題を解決するための手段】
【０００８】
上述した課題を解決するために、本発明に係る簡易消火器は、
本体容器と、
前記本体容器に収容されたアキュームレータと、
前記本体容器に接続された注入弁と、
前記注入弁から前記アキュームレータを圧縮させながら前記本体容器に注入されて加圧された消火液と、
前記本体容器に接続され、前記加圧された消火液の圧力により閉弁され、開弁されたときに前記消火液を放出させる放出弁と、
前記放出弁を開弁させるレバーと、
前記放出用バルブの出口側に接続され前記消火液を放出するノズルを備えたことを特徴としている。
【０００９】
本体容器内に充填されている消火液は、アキュームレータを圧縮させて加圧されている。使用者が消火器を使用する際、ノズルを消火すべき対象物に向けてレバーを操作して（引いて）放出弁を開弁すると、アキュームレータが膨張して消火液をノズルから放出する。使用者がレバーを戻して放出弁を閉弁すると消火液の放出が停止する。これにより、消火液を不必要に放出することを防止することができる。使用者は、消火器を使用した後、即ち消火液を放出させた後注入弁から消火液を注入（充填）する。消火器は、消火液を加圧する手段としてアキュームレータを使用し、かつ注入弁を介して消火液を注入（充填）可能とすることにより、繰り返して再使用することが可能となる。
【００１０】
また、本発明の請求項２に係る簡易消火器は、請求項１に記載の簡易消火器において、前記消火液は、水であることを特徴としている。
消火液として水を使用することにより、消火した後水を拭き取るだけでよく後処理が極めて容易である。また、消火液として水を使用することにより、水道水を利用することができ、安価にかつ容易に充填することができる。
【００１１】
また、本発明の請求項３に係る簡易消火器は、請求項１又は請求項２に記載の簡易消火器において、
前記注入弁は、外部から前記本体容器への消火液の注入のみを許容する一方向弁であり、前記放出弁は、前記本体容器から消火液の放出のみを許容する一方向弁であることを特徴としている。
【００１２】
消火液を本体容器に充填するための注入弁を一方向弁とすることにより、消火液である水の充填が容易であり、消火器の再利用が可能である。また、消火液として水を使用することにより使用後、粉末等の消火薬剤を使用した場合のように注入弁及び放出弁の弁体及び弁座に消火薬剤が付着する虞がなく、これらの注入弁及び放出弁の密閉性が確保され、本体容器内に充填した消火液（水）の漏出を防止することができる。また、消火液を放出するための放出弁を一方向弁とすることにより、使用時にレバーの操作により開弁するだけでよく操作性が向上する。
【００１３】
また、本発明の請求項４に係る簡易消火器は、請求項１乃至請求項３の何れかに記載の簡易消火器において、
前記放出弁と前記ノズルとの間に前記消火液の圧力に応じて前記ノズルから放出する前記消火液の流量を調節する絞り弁が設けられていることを特徴としている。
絞り弁は、本体容器内の消火液の圧力に応じて絞りが制御され、圧力の高い放出初期においては絞られて消火液の放出量を抑え、消火液の放出に伴い圧力が低下すると絞りが開いて消火液の放出量を増加させる。これにより、消火液の放出流量の急激な変化（低下）を抑えて放出させることが可能となる。
【００１４】
また、本発明の請求項５に係る簡易消火器は、請求項１乃至請求項４の何れかに記載の簡易消火器において、
前記本体容器には前記消火液の圧力を表示する圧力計が接続されていることを特徴としている。
使用者が本体容器にアキュームレータを圧縮させながら消火液（水）を注入するときに、圧力計の表示を見ながら注入することでアキュームレータ、即ち消火液の加圧力を検知することが可能となり、消火液の注入（充填）が容易となる。
【００１５】
また、本発明の請求項６に係る簡易消火器は、請求項１乃至請求項５の何れかに記載の簡易消火器において、
前記注入弁と前記放出弁と前記絞り弁と前記ノズルと前記レバーと前記圧力計が一体に設けられてハンドスプレーガンとされ、ホースにより前記本体容器に接続されていることを特徴としている。
【００１６】
注入用弁、放出弁、絞り弁、ノズル、レバー及び圧力計を一体に設けてハンドスプレーガンとすることにより、ノズルを消火すべき対象物に正確に向けることが可能となり、更に放出弁をレバーにより開弁操作することができ操作性が向上する。また、ハンドスプレーガンとすることにより、コンパクト化を図ることが可能となり操作性が向上する。更に、ハンドスプレーガンと本体容器とをホースで接続することにより、一方の手でハンドスプレーを握り、他方の手で本体容器を持つことができ、ハンドスプレーガンを消火対象物に正確に向けることができ、消化液を消火対象物に向けて有効に放出することが可能となる。
【発明の効果】
【００１７】
本発明によると、本体容器内に収容したアキュームレータにより消火液を加圧し、レバーの操作により放出弁を開弁することにより、消火液の放出を任意に止めることができる。そして、注入弁から本体容器に消火液を容易に注入することができ、消火器を繰り返して再利用することが可能となり経済的である。また、消火器の構成が簡単である。
【図面の簡単な説明】
【００１８】
【図１】本発明に係る簡易消火器の概略構成図である。
【図２】図１に示した簡易消火器の本体容器の断面図である。
【図３】図２に示した本体容器及び本体容器に収容されているアキュームレータの矢線III−IIIに沿う断面図で、図３（ａ）はアキュームレータの自然状態を示し、図３（ｂ）はアキュームレータが１／２程度に圧縮された状態を示し、図３（ｃ）はアキュームレータが１／４程度に圧縮された状態を示す。
【図４】図１に示したハンドスプレーガンの詳細断面図である。
【図５】図４に示したハンドスプレーガンに収容されている絞り弁の拡大図である。
【図６】図５に示した絞り弁の作動を示す説明図である。
【図７】図４に示したハンドスプレーガンのレバーの安全ピンの説明図である。
【発明を実施するための形態】
【００１９】
以下、本発明の一実施形態に係る簡易消火器について図面に基づいて説明する。図１は、本発明の簡易消火器の概略構成を示し、簡易消火器１は、消火液Ｗが充填された本体容器２、本体容器２にホース４を介して接続され、当該本体容器２への消火液Ｗの注入（充填）及び本体容器２内の消火液Ｗを消火対象物に向けて放出（噴出）させるためのハンドスプレーガン３により構成されている。
【００２０】
本体容器２は、容器２１、容器２１内に充填された消火液Ｗを加圧して放出（噴出）させるためのアキュームレータ２５、アキュームレータ２５に圧縮ガスを注入（充填）するための給気弁２６を備えている。
ハンドスプレーガン３の本体３１は、消火液Ｗを注入するための注入弁４１、消火液Ｗを放出するための放出弁４２、消火液Ｗの圧力（液圧）に応じて放出する消火液Ｗの流量を調節する絞り弁４５、消火液Ｗを放出するノズル４６、消火液Ｗの圧力を検出表示する圧力計４７、放出弁４２を開弁操作するレバー（引金）４８が一体に設けられている。
【００２１】
容器２１は、図１及び図２に示すように縦長の円筒形の両端部が略半球状をなし、下部に当該容器２１を立てて置くための円筒状のスタンド２２が外周面に同心的に固定されている。容器２１の上面２１ａの中央にホース４と接続するための円筒形状の接続金具２３が設けられており、その内周面に雌ねじが刻設されている。容器２１の底面２１ｂの中央部に大径の孔２１ｃが設けられている。孔２１ｃは、周縁部が下方に延出して円筒形状の開口部２１ｄとされており、開口内側端面に同心的に環状溝２１ｅが形成され、外周面に雄ねじが刻設されている。また、上面２１ａの外周縁部に取手２４が取り付けられている。
【００２２】
アキュームレータ２５は、ブリーツ形ブラダ（ゴム製の袋）で容器２１と略同じ形状の縦長形状をなし、外周面が当該容器２１の内周面に当接する程度の大きさとされている（以下「単にブラダ２５」という）。ブラダ２５の開口部２５ａは、すぼめられて細口とされて容器２１の開口部２１ｄの内周面に当接可能、かつ開口部２１ｄと略同じ長さとされ、外周面に開口部２１ｄの環状溝２１ｅに液密に圧入嵌合されるフランジ２５ｂが設けられている。
【００２３】
尚、図１においてアキュームレータ（ブラダ）２５は、分かり易くするために細長い袋状のブラダで示し、消火液Ｗを充填したときに２点鎖線で示す状態から実線で示すように圧縮されて丸く小さくなった状態を示している。
ブラダ２５は、図２に示すように開口部２１ｄから容器２１内に挿入されて収容され、フランジ２５ｂが環状溝２１ｅに圧入され、開口部２１ｄに螺合装着された給気弁２６により液密に固定されている。給気弁２６は、ブラダ２５に圧縮空気或いは圧縮窒素ガス等の圧縮ガスを充填するためのもので、給気弁体２７、空気弁むし２８により構成された一方向弁である。
【００２４】
ブラダ２５は、図３（ａ）に示すように内周面に周方向に等間隔で複数個所、例えば３箇所にかつ長手方向（軸方向）に沿ってブリーツ２５ｃが設けられている。ブラダ２５は、内外圧の差圧で変形し、図２の実線及び図３（ａ）に示す自然状態のときには円筒形状をなしており、１／２程度に圧縮されたときには図２の２点鎖線２５’及び図３（ｂ）に示すようにブリーツ２５ｃにおいて長手方向（軸方向）に沿って断面が丸みのある湾曲三角形状に押し潰されて変形して細くなり、１／４程度に圧縮されたときには図２の２点鎖線２５”及び図３（ｃ）に示すように断面が丸みのある湾曲三角星形状に押し潰されて変形して更に細くなる。ブラダ２５は、当該ブラダ２５内で圧縮されたガスによって消火液Ｗを加圧して放出させる。ブラダ２５内に封じ込める圧縮ガスとして、例えば圧縮空気或いは圧縮窒素ガス等がある。
【００２５】
ブラダ２５内に封じ込める圧縮ガスの圧力（ガス圧）を、例えば約０.３ＭPa（第１の所定圧）とし、ブラダ２５を１／３程度まで圧縮して当該ブラダ２５の内圧が１ＭPa未満、例えば０.９〜０.９５ＭPa（第２の所定圧）となるようにした場合、消火液を約０.９５〜０.３ＭPaの圧力で放出させることが可能となる。
図４に示すようにハンドスプレーガン３の本体３１は、グリップ３２とバレル３３が例えば１２０°程度をなして形成されており、これらの連設部に大径の孔３４と小径の孔３５が同心的に連通して貫設されている。孔３４は、後方（図中右側）に開口し、孔３５は前方（図中左側）に開口している。グリップ３２には長手方向に沿って通路３６が設けられており、一端（下端）がグリップ３２の下端面に開口し、他端（上端）が孔３４の孔３５との連通部近傍に開口して連通されている。通路３６の開口端部（グリップ３２の下端面）の内周面には雌ねじが刻設されている。
【００２６】
バレル３３には長手方向に沿って通路３７が設けられており、一端（先端）がバレル３３の先端に開口し、他端（後端）が孔３５の孔３４との連通部近傍に開口して連通されている。バレル３３の先端部には通路３７と同心的に大径の孔３８が設けられており、当該孔３８の開口側の内周面に雌ねじが刻設されている。
バレル３３には通路３７に沿って当該通路３７よりもかなり小径の通路３９が設けられており、その一端が孔３４に開口して連通され、他端が孔３８の略中央に開口して連通されている。通路３９を通路３７よりもかなり小径とすることにより、当該通路３９に一種の絞り作用を持たせて孔３４側の圧力変動を吸収するようにしている。また、バレル３３の付け根近傍上部位置に一端が孔３４に開口し、他端が上方に開口するねじ孔４０が設けられている。
【００２７】
消火液の注入弁４１と放出弁４２は、共に一方向弁で、孔３４内に収容されて背中合わせに配置されており、これらの注入弁４１と放出弁４２との間にスプリング４３が縮設されている。注入弁４１は、弁軸４１ａが孔３４の開口部に液密に装着された弁ホルダ４４の軸孔４４ａに摺動自在に嵌挿され、弁傘の弁当たり面が弁ホルダ４４の弁座に液密に圧接している。弁軸４１ａには周方向に等間隔をなし、軸方向に沿って複数の溝４１ｂが形成されており、外部から軸孔４４ａ、溝４１ｂを通して孔３４内に消火液を注入することが可能とされている。
【００２８】
放出弁４２は、弁軸４２ａが小径の孔３５に軸方向に摺動自在に挿通され、先端部が当該孔３５の開口端から僅かに突出し、弁傘の弁当たり面が孔３４と３５との連設部に形成された弁座に液密に圧接している。注入弁４１、放出弁４２の弁当たり面、放出弁４２の弁軸４２ａには夫々Ｏリング６１が装着されており、液密性が確保されている。
バレル３３の孔３８内には絞り弁４５が収容されている。絞り弁４５は、図５に示すようにパイプ５１、パイプ５１の両端部の外周面に同心的に取付けられたホルダ５２、パイプ５１の外側に同心的に配置され両端部がホルダ５２に固定されたパイプ５３により形成されている。パイプ５１は、通路３７よりも小径とされ、パイプ５３は通路３７よりも僅かに大径とされている。
【００２９】
ホルダ５２は、円筒部５２ａの外周面略中央にフランジ５２ｂを設けた形状とされ、内周面に設けられた複数のスポーク（輻）５２ｃによりパイプ５１の外周面の端部に固定されている。円筒部５２ａの内径は通路３７と同径とされ、フランジ５２ｂの外径は孔３８の内径よりも僅かに小径とされている。パイプ５３の両端部は円筒部５２ａに液密に外嵌固定されている。パイプ５１は、剛性の高い部材例えば金属部材により形成されており、パイプ５３は、弾性を有する部材例えばゴム部材により形成されている。
【００３０】
パイプ５３は、外部から圧力が加わらないときには弾性力により図示のように円柱形状をなしており、内側のパイプ５１と外側のパイプ５３との間に環状の通路５４が形成され、両側のホルダ５２のスポーク５２ｃの間を通して流体の流れが可能となる。従って、絞り弁４５は、内側のパイプ５１、環状の通路５４を通して流体（消火液）の流れが確保される。パイプ５３は、外部から圧力が加わると、これに応じて押し潰されて縮径し、環状の通路５４が狭くなる。従って、環状の通路５４を流れる消火液の流量が抑えられる。
【００３１】
パイプ５３に加わる外力が大きくなり、２点鎖線で示すようにパイプ５３の内周面が内側のパイプ５１の外周面に密着すると環状の通路５４が完全に閉塞される。この状態において消火液は、内側のパイプ５１を通してのみ流れることとなる。パイプ５３に加わる外圧が小さくなると、これに伴いパイプ５３が弾性力により元の円筒形状に復帰して環状の通路５４が形成される。これにより、絞り弁４５は、パイプ５３に外部から加わる圧力、即ち消化液の圧力に応じて消化液の流量を調節することが可能となる。
【００３２】
絞り弁４５は、図６に示すように両端部のホルダ５２がＯリング５５を介してバレル３３の孔３８内に液密に嵌挿されている。そして、当該バレル３３の先端部にノズル（放出ノズル）４６が液密に螺合装着されている。この状態において、絞り弁４５は、内側のパイプ５１及び環状の通路５４が通路３７に連通している。また、外側のパイプ５３と通路３７との間には環状の空間５６が液密に形成され、通路３９に連通されている。
【００３３】
圧力計４７は、バレル３３の付け根近傍上部位置に設けられたねじ孔４０に液密に螺合装着されている。前述したようにブラダ２５内に封じ込める圧縮ガスの圧力を約０.３ＭPaとし、ブラダ２５を約１／３程度まで圧縮して当該ブラダ２５の内圧が０.９〜０.９５ＭPaとなるように設定した場合、圧力計４７は、１ＭPaまで測定可能とされている。そして、圧力計４７の目盛りは、例えば０から１.０ＭPaまで０.１ＭPa刻みで表示されており、０.９５ＭPaの目盛りから１.０ＭPaの目盛りまでの間はレッドゾーンとされている。これにより、ブラダ２５内の内圧を最大１.０ＭPa未満に抑えることを可能としている。この圧力計４７としては、例えば安価なブルドン管式圧力計がある。
【００３４】
図４に示すようにハンドスプレーガン３のバレル３３の付け根近傍下側に放出弁４２を開弁するためのレバー（引金）４８が設けられている。レバー４８は、端面視略角形Ｕ字形状をなし、両側部の上端がバレル３３の付け根近傍下側にピン６３により回動自在に軸支されている。そして、底部にグリップ３２とバレル３３の連設部の孔３５から突出している放出弁４２の弁軸４２ａの端面と対向して押圧部４８ａが設けられている。
【００３５】
ストッパ４９は、端面視略角形Ｕ字形状をなし、レバー４８内に収容可能とされ、両側部の下端がレバー４８の下端部にピン６４により回動可能に軸支されており、両側部の上端がグリップ３２の略中央位置に当該グリップ３２と一体に形成されたブラッケト３２ａを挟んで安全ピンとしてのスナップピン６５により係止されている。スナップピン６５は、図７に示すように略ヘアピン形状をなし、一側のピン６５ａが真っ直ぐとされ、他側のピン６５ｂの略中央部６５ｃがストッパ４９の幅及びピン６５ａの中心からブラケット３２ａの外周部までの距離分だけ離隔して外方に略凸状に屈曲されている。
【００３６】
このスナップピン６５は、弾性を有するばね部材で形成されており、一側の真っ直ぐなピン６５ａがストッパ４９とブラケット３２ａのピン孔に挿通され、他側のピン６５ｂの先端部がばね性に抗して押し広げられてストッパ４９の先端外周面及びブラケット３２ａの厚みを乗り越えた後、元の形状に復帰して中央部６５ｃがストッパ４９の先端外周面及びブラケット３２ａの外周面に係合して２点鎖線で示すように装着される。これにより、スナップピン６５が不用意に外れることが防止される。スナップピン６５を外す場合には使用者が付け根部６５ｄを引っ張り、ばね性に抗してピン６５ｂの中央部６５ｃをストッパ４９及びブラケット３２ａから外せばよい。
【００３７】
レバー４８とストッパ４９とグリップ３２とバレル３３は、ピン６３，６４、スナップピン６５により固定連鎖を形成しており、グリップ３２とバレル３３（リンク１）が固定リンクとされていることで、レバー４８（リンク２）とストッパ４９（リンク３）は動くことができない。即ち、レバー４８を図４の矢印Ａ方向に引くことができない。これにより、簡単な構造でレバー４８の安全機構を形成することができる。
【００３８】
そして、図２及び図４に示すようにホース４の一側端部の接続金具５を容器２１の接続金具２３に液密に接続し、他側端部の接続金具６をハンドスプレーガン３のグリップ３２の下端面に開口する通路３６の開口端部のねじ部に液密に螺合接続する。これにより、容器２１とハンドスプレーガン３が接続される。尚、ハンドスプレーガン３のグリップ３２の側部には図示しないリング状の掛け金が設けられており、容器２１の側面に設けられた図示しないフックに掛けて容器２１にハンドスプレーガン３を保持するようにしている。これにより、簡易消火器１の持ち運びが容易となると共に、容器２１からハンドスプレーガン３を簡単に外すことができる。
【００３９】
図２に示す容器２１が空の状態においては、ブラダ２５は、給気弁２６から例えば圧縮空気が封入されて内圧が０.３ＭPa（第１の所定圧）とされ、図２の実線及び図３（ａ）に示すように膨らんでいる。尚、この状態におけるブラダ２５の状態を自然状態と称する。また、図４に示すように注入弁４１、放出弁４２が閉弁状態となっており、絞り弁４５は、図６（ａ）に示すように開放状態となっている。
【００４０】
この状態において、ハンドスプレーガン３の注入弁４１から消火液、例えば水道水を注入（充填）する。消火液としては家庭用の水道水を使用することが可能である。家庭用の水道水は、地域により水圧が異なり、略０.０９８ＭPa〜０.９８ＭPa程度である。従って、水圧の高い地域においては水道の蛇口から直接水道水を充填することが可能である。また、水圧の極端に低い地域では簡易型の水ポンプ等を使用したり、或いは水圧の高い地域で充填したりすることが好ましい。
【００４１】
容器２１内に消火液（水道水）を充填（注水）するに伴いその圧力により図２の２点鎖線２５’，２５”及び図３（ｂ）、（ｃ）で示すようにブラダ２５が徐々に圧縮されて収縮する。そして、圧力計４７の指針が０.９〜０.９５ＭPaに達したときに充填を止める。このときの容器２１内の圧力は、前記０.９〜０.９５ＭPaとなる。そして、図１及び図３（ｃ）に示すように消火液としての水Ｗが充填量相応の充填状態となる。
【００４２】
また、注水に伴い図４に示す通路３７を通して絞り弁４５が収容されている孔３８の環状の空間５６内に注水され、これに伴い外側のパイプ５３が図６（ｂ）、（ｃ）に示すように加圧されて押し潰され、その内周面が内側のパイプ５１の外周面に密着して環状の通路５４が閉塞される。即ち、絞り弁４５は、容器２１内に消火液（水）Ｗが満杯に充填されている状態においては開口面積がパイプ５１の太さとなっている。
【００４３】
さて、例えば、タバコの不始末等に起因した失火の初期段階において簡易消火器１を使用する場合、使用者がスナップピン６５を引き抜き、ハンドスプレーガン３のグリップ３２とストッパ４９との係合を解除する。これにより、レバー４８を操作することが可能となる。次いで、使用者が容器２１の取手２４を持ち、ハンドスプレーガン３のグリップ３２を握り、レバー４８に指を掛け、ノズル４６を消火すべき対象物に向ける。この場合、ハンドスプレーガン３とすることでノズル４６を対象物に容易にかつ正確に向けることができる。
【００４４】
次いで、使用者がレバー４８を放出弁４２のスプリング４３のばね力に抗して引くと、放出弁４２が開弁して容器２１内の消火液（水）Ｗが、ホース４、ハンドスプレー３の通路３６、通路３７、絞り弁４５のパイプ５１を通してノズル４６から例えばフルコーン状に水が放出（噴射）される。
消火液（水）Ｗの放出に伴い容器２１内の圧力（水圧）が徐々に低下し、ノズル４６からの放出量が少なくなる。容器２１内の圧力が低下するに伴い絞り弁４５のパイプ５３に加わる圧力（水圧）が小さくなり、当該パイプ５３が弾性力により図６（ｃ）の状態から図６（ｂ）、図６（ａ）の状態に拡径して元の管径（太さ）に復帰する。即ち、絞り弁４５が徐々に開弁する。これに伴い絞り弁４５の内側のパイプ５１と外側のパイプ５３との間の環状の通路５４を通して消火液（水）Ｗがノズル４６に供給される。この結果、ノズル４６にパイプ５１と環状の通路５４から消火液（水）Ｗが供給され、放出する消火液Ｗの流量（水量）の減少が抑えられる。これにより、ノズル４６から消火対象物に放出する消火液Ｗの流量（水量）の変化を少なく抑えることができる。
【００４５】
初期消火により消火対象物が消火したと確認した後レバー４８を戻すとスプリング４３のばね力により放出弁４２が閉弁して通路３７が閉塞され、ノズル４６からの水の放出が停止する。即ち、使用者は、状況に応じて消火液（水）Ｗの放出を任意に止めることができる。また、必要に応じてレバー４８を操作することにより、適当な流量（水量）ずつ放出することもできる。従って、必要以上の消火液、即ち水の放出を防止することが可能となる。また、消火液Ｗとして水を使用することにより消火後の後処理が容易となる。
【００４６】
使用者は、圧力計４７の指示値により現在の容器２１内の消火液Ｗの量（水量）を知ることが可能である。従って、使用により容器２１内の消火液Ｗの量（水量）が減少し、或いは空になった場合、前述したように容器２１に注入弁４１から水を注水（充填）する。これにより、消火液としての水を容易に補充することができ、再利用が容易である。
消火液Ｗを加圧する手段としてブラダ（アキュームレータ）２５を使用することにより、圧力変動を緩和することが可能となると共に、圧力制御手段の構成が簡単となり、更に再利用性が保持される。また、ブラダ２５に封入した圧縮ガスの圧力が低下した場合には給気弁２６から圧縮ガスを供給することにより、前記圧力に容易に設定することが可能である。
【００４７】
また、消火液Ｗとして水を使用することにより、粉末等の消化剤を使用したもののように注入弁４１、放出弁４２の弁当たり面と弁座との間に粉末が付着することがなく、シール性が確保される。従って、メンテナンスをすることなく容易に水を充填して再度使用することが可能である。これにより、簡易消火器１を繰り返して使用することが可能である。また、水は、人体や殆どの物品に対して無害であり、特に室内での使用後における後処理が容易である等の点において好ましい。また、充填が容易である。
【００４８】
尚、上記実施の形態においては、ブラダ（アキュームレータ）２５として容器２１と略同じ縦長形状をなすブリーツ形ブラダを使用した場合について記述したがこれに限るものではなく、従来から一般的に使用されている円形（球形）状或いは細長い袋状のブラダを使用しても良い。
また、ノズル４６としては種々の噴射パターンのものを使用することができる。例えば、広角フルコーンスプレーノズルを使用することにより、初期消火はさることながら、退避口が少ない構造物等において非難時における低熱を確保する場合にも利用できる。また、簡易消火器１は、消火液（水）Ｗの充填が容易であることにより、他の目的、例えば自家用車の汚れを落とす場合等にも手軽に使用することができる。
【００４９】
また、上記実施形態においては、消火液として水道水を使用した場合について記述したが、水道水等の水に限るものではなく、皮膚や衣類、室内の物品等に対して無害或いは軽度な影響下で対応可能な、例えば腐食処理をした消火液を使用することもできる。
【符号の説明】
【００５０】
１    簡易消火器
２    本体容器
３    ハンドスプレーガン
４    ホース
５，６    接続金具
２１    容器
２１ａ    上面
２１ｂ    底面
２１ｃ    孔
２１ｄ    開口部
２１ｅ    環状溝
２２    スタンド
２３    接続金具
２４    取手
２５，２５’,２５”    ブラダ（アキュームレータ）
２５ａ    開口部
２５ｂ    フランジ
２５ｃ    ブリーツ
２６    給気弁
２７    給気弁体
２８    空気弁むし
３１    本体
３２    グリップ
３２ａ    ブラケット
３３    バレル
３４，３５    孔
３６,３７,３９    通路
３８    孔
４０    ねじ孔
４１    注入弁
４１ａ    弁軸
４１ｂ    溝
４２    放出弁
４２ａ    弁軸
４３    スプリング
４４    弁ホルダ
４４ａ    軸孔
４５    絞り弁
４６    ノズル
４７    圧力計
４８    レバー（引金）
４８ａ    押圧部
４９    ストッパ
５１，５３    パイプ
５２    ホルダ
５２ａ    円筒部
５２ｂ    フランジ
５２ｃ    スポーク（輻）
５４    通路
５５    Ｏリング
５６    空間
６１    Ｏリング
６３，６４    ピン
６５    スナップピン
６５ａ，６５ｂ    ピン
６５ｃ    中央部
６５ｄ    付け根部
Ｗ    消火液（水）
【図１】
2011024822.tif 000003
【図２】
2011024822.tif 000004
【図３】
2011024822.tif 000005
【図４】
2011024822.tif 000006
【図５】
2011024822.tif 000007
【図６】
2011024822.tif 000008
【図７】
2011024822.tif 000009